(57)【要約】【課題】  設置性、取り扱い性および品質の向上を図ることができる高周波調理器を提供すること。【解決手段】  蒸気を生成するための水を貯蔵する水タンク１３を備え、加熱室内に高周波と蒸気とを供給して被加熱物を加熱処理する高周波調理器１０であり、水タンク１３が、加熱室を有する高周波調理器本体１１の下方に、前面に向けて着脱自在に組み付けられており、水タンク１３に一体的に組み付けられたトレイ１２を有する高周波調理器１０。【選択図】        図１
2006017398.tif 000002
【特許請求の範囲】
【請求項１】
蒸気を生成するための水を貯蔵する水タンクを備え、加熱室内に高周波と前記蒸気とを供給して被加熱物を加熱処理する高周波調理器であって、
前記水タンクが、前記加熱室を有する高周波調理器本体の下方に、前面に向けて着脱自在に組み付けられており、該水タンクに一体的に組み付けられたトレイを有することを特徴とする高周波調理器。
【請求項２】
蒸気を生成するための水を貯蔵する水タンクを備え、加熱室内に高周波と前記蒸気とを供給して被加熱物を加熱処理する高周波調理器であって、
前記水タンクが、前記加熱室を有する高周波調理器本体の下方に、前面に向けて着脱自在に配置されており、該水タンクに一体的に組み付けられたトレイを有し、該トレイが、前記水タンクの前方に配置されていることを特徴とする高周波調理器。
【請求項３】
蒸気を生成するための水を貯蔵する水タンクを備え、加熱室内に高周波と前記蒸気とを供給して被加熱物を加熱処理する高周波調理器であって、
前記水タンクが、前記加熱室を有する高周波調理器本体の下方に、前面に向けて着脱自在に配置されており、該水タンクに一体的に組み付けられたトレイを有し、該トレイおよび前記水タンクが、前記高周波調理器本体の前面側において左右に配置されていることを特徴とする高周波調理器。
【請求項４】
蒸気を生成するための水を貯蔵する水タンクを備え、加熱室内に高周波と前記蒸気とを供給して被加熱物を加熱処理する高周波調理器であって、
前記水タンクが、前記加熱室を有する高周波調理器本体の下方に、前面に向けて着脱自在に配置されており、該水タンクに一体的に組み付けられたトレイを有し、該トレイおよび前記水タンクが、前記高周波調理器本体の前面側において上下に配置されていることを特徴とする高周波調理器。
【発明の詳細な説明】
【技術分野】
【０００１】
本発明は、高周波と蒸気とを組み合わせて被加熱物を加熱処理する高周波調理器に関する。
【背景技術】
【０００２】
従来の高周波調理器の一例として、水タンクを高周波調理器本体の側部に配置した高周波調理器が知られている（例えば、特許文献１参照）。
【０００３】
特許文献１に開示された高周波調理器は、被加熱物を収容する加熱室に、高周波（マイクロ波）と蒸気とを供給して被加熱物を加熱処理する加熱調理器であり、高周波を発生する高周波発生部としてのマグネトロンと、加熱室内で蒸気を発生する蒸気発生部と、加熱室内の空気を撹拌・循環させる循環ファンと、加熱室内を循環する空気を加熱する室内気加熱ヒータとしてのコンベクションヒータと、加熱室の壁面に設けた検出用孔を通じて加熱室内の温度を検出する赤外線センサと、蒸気発生部へ水を供給するための水タンクとを備えている。
【０００４】
特許文献１の高周波調理器では、水タンクが、高周波調理器本体の側壁内に脱着自在に収納されている。水タンクは薄型の矩形状であり、上部が開口され、蓋を有している。蓋には取水管取付け部が設けられており、取水管取付け部の下方には蓋を貫通して底面付近まで延びる取水管が設けられている。
【特許文献１】特開２００４−０１１９９５号公報（図１）
【発明の開示】
【発明が解決しようとする課題】
【０００５】
ところが、上記特許文献１では、高周波調理器本体の側壁内に収納された水タンクが、加熱室およびコンベクションヒータに隣接しているために、内部に貯蔵された水が加熱される虞がある。そのために、水が加熱しないようにするための断熱材を必要として、コスト面で不利になりうる。
また、水タンクが、高周波調理器本体の側壁内に着脱自在に収納されているために、水タンクを取り出す際のスペースを必要とするので、高周波調理器の側部を壁に寄せて設置することができず、設置性が悪い。
ところで、図９に示すように、上記特許文献１と同様にして、水タンク１０１を側部に配置した高周波調理器１００がある。図９では上下を反転して示している。高周波調理器１００は、高周波調理器本体１０２の底面１０３に形成された凹部１０４に、モータ１０５を中心として、このモータ１０５の回りに、マグネトロン１０６と、制御板１０７と、インバータ１０８と、循環ファン１０９と、ヒータ１１０と、からなる電子機器１１１が取り付けられている。そして、凹部１０４には、底板１１２がねじ止めされ、底板１１２の四方にゴム脚１１３が取り付けられる。
また、高周波調理器１００では、ドア１１４の下方にトレイ１１５が取り付けられている。このトレイ１１５は、加熱室１１６内に高周波と蒸気とが供給されて被加熱物が加熱処理された後にドア１１４が開けられた際に、加熱室１１６内の蒸気が結露水となって流れ出てくるのを受け取るようになっている。トレイ１１５は、ドア１１４が開けられてから取り出される。
高周波調理器１００では、循環ファン１０９を作動させることにより、前面下側から空気を吸い込んでマグネトロン１０６を冷却し、さらに横方向に排出してインバータ１０８を冷却する。
そして、このような高周波調理器１００においても、水タンク１０１が高周波調理器本体１０２の側壁１１７内に収納されているために、上記特許文献１と同様に、内部に貯蔵された水が加熱される虞れがあるとともに、側部を壁に寄せて設置することができない。さらに、水タンク１０１が、電子機器１１１に対して上方に配置されているために、この水タンク１０１に水漏れを生じた際に、下方に配置されている電子部品１１１を損傷しかねない。
【０００６】
本発明は、上記事情に鑑みてなされたものであって、その目的は、設置性、取り扱い性および品質の向上を図ることができる高周波調理器を提供することにある。
【課題を解決するための手段】
【０００７】
本発明の上記目的は、以下の構成により達成される。
（１）  蒸気を生成するための水を貯蔵する水タンクを備え、加熱室内に高周波と前記蒸気とを供給して被加熱物を加熱処理する高周波調理器であって、前記水タンクが、前記加熱室を有する高周波調理器本体の下方に、前面に向けて着脱自在に組み付けられており、該水タンクに一体的に組み付けられたトレイを有することを特徴とする高周波調理器。
【０００８】
このように構成された高周波調理器においては、蒸気を生成するための水を貯蔵する水タンクおよびトレイが高周波調理器本体の下方に配置されているために、水タンクが加熱室等に隣接されず、加熱室が高温になったとしても、その熱は上方に移動するために、内部に貯蔵された水が加熱されない。また、水タンクが、高周波調理器本体の前面に着脱自在に組み付けられているために、側部を壁に寄せて設置することができる。また、水タンクが、高周波調理器本体の底部に収納された電子機器に対して上方に配置されないために、電子機器を損傷することがない。また、水タンクおよびトレイを高周波調理器本体の前面から同時に取り出すことができるので、取り扱い性を良好にできる。また、高周波と蒸気とが供給されて被加熱物が加熱処理された後にドアパネルが開けられた際に、ドアパネルの内面をつたって流れ出してくる結露水を受けるためのトレイが水タンクに一体的に組み付けられているために、水タンクが高周波調理器本体の側部に配置されていてトレイが高周波調理器本体の前面に配置されているものと比較して、水タンクおよびトレイを一ヶ所に収納することができるので、無駄なスペースがなくなり、コンパクトにすることができる。これらにより、設置性、取り扱い性および品質の向上を図ることができる。
【０００９】
（２）  蒸気を生成するための水を貯蔵する水タンクを備え、加熱室内に高周波と前記蒸気とを供給して被加熱物を加熱処理する高周波調理器であって、前記水タンクが、前記加熱室を有する高周波調理器本体の下方に、前面に向けて着脱自在に配置されており、該水タンクに一体的に組み付けられたトレイを有し、該トレイが、前記水タンクの前方に配置されていることを特徴とする高周波調理器。
【００１０】
このように構成された高周波調理器においては、蒸気を生成するための水を貯蔵する水タンクおよびトレイが高周波調理器本体の下方に配置されているために、水タンクが加熱室等に隣接されず、加熱室が高温になったとしても、その熱は上方に移動するために、内部に貯蔵された水が加熱されない。また、水タンクが、高周波調理器本体の前面に着脱自在に組み付けられているために、側部を壁に寄せて設置することができる。また、水タンクが、高周波調理器本体の底部に収納された電子機器に対して上方に配置されないために、電子機器を損傷することがない。また、水タンクおよびトレイを高周波調理器本体の前面から同時に取り出すことができるので、取り扱い性を良好にできる。また、高周波と蒸気とが供給されて被加熱物が加熱処理された後にドアパネルが開けられた際に、ドアパネルの内面をつたって流れ出してくる結露水を受けるためのトレイが水タンクの前方に配置されているために、水タンクへの水の補給と、トレイの掃除と、を同時的に行えるので、日常のメンテナンスを簡単に行うことができる。これらにより、設置性、取り扱い性および品質の向上を図ることができる。
【００１１】
（３）  蒸気を生成するための水を貯蔵する水タンクを備え、加熱室内に高周波と前記蒸気とを供給して被加熱物を加熱処理する高周波調理器であって、前記水タンクが、前記加熱室を有する高周波調理器本体の下方に、前面に向けて着脱自在に配置されており、該水タンクに一体的に組み付けられたトレイを有し、該トレイおよび前記水タンクが、前記高周波調理器本体の前面側において左右に配置されていることを特徴とする高周波調理器。
【００１２】
このように構成された高周波調理器においては、蒸気を生成するための水を貯蔵する水タンクおよびトレイが高周波調理器本体の下方に配置されているために、水タンクが加熱室等に隣接されず、加熱室が高温になったとしても、その熱は上方に移動するために、内部に貯蔵された水が加熱されない。また、水タンクが、高周波調理器本体の前面に着脱自在に組み付けられているために、側部を壁に寄せて設置することができる。また、水タンクが、高周波調理器本体の底部に収納された電子機器に対して上方に配置されないために、電子機器を損傷することがない。また、水タンクおよびトレイを高周波調理器本体の前面から同時に取り出すことができるので、取り扱い性を良好にできる。また、高周波と蒸気とが供給されて被加熱物が加熱処理された後にドアパネルが開けられた際に、ドアパネルの内面をつたって流れ出してくる結露水を受けるためのトレイと、水タンクと、が高周波調理器本体の前面側において左右に配置されているために、水タンクを取り出すことなく、左右のいずれかにある水タンクの前面側を通して水の残量確認を簡単に行うことができる。
【００１３】
（４）  蒸気を生成するための水を貯蔵する水タンクを備え、加熱室内に高周波と前記蒸気とを供給して被加熱物を加熱処理する高周波調理器であって、前記水タンクが、前記加熱室を有する高周波調理器本体の下方に、前面に向けて着脱自在に配置されており、該水タンクに一体的に組み付けられたトレイを有し、該トレイおよび前記水タンクが、前記高周波調理器本体の前面側において上下に配置されていることを特徴とする高周波調理器。
【００１４】
このように構成された高周波調理器においては、蒸気を生成するための水を貯蔵する水タンクおよびトレイが高周波調理器本体の下方に配置されているために、水タンクが加熱室等に隣接されず、加熱室が高温になったとしても、その熱は上方に移動するために、内部に貯蔵された水が加熱されない。また、水タンクが、高周波調理器本体の前面に着脱自在に組み付けられているために、側部を壁に寄せて設置することができる。また、水タンクが、高周波調理器本体の底部に収納された電子機器に対して上方に配置されないために、電子機器を損傷することがない。また、水タンクおよびトレイを高周波調理器本体の前面から同時に取り出すことができるので、取り扱い性を良好にできる。また、高周波と蒸気とが供給されて被加熱物が加熱処理された後にドアパネルが開けられた際に、ドアパネルの内面をつたって流れ出してくる結露水を受けるためのトレイと、水タンクと、が高周波調理器本体の前面側において上下に配置されているために、水タンクを取り出すことなく、上下のいずれかにある水タンクの前面側を通して水の残量確認を簡単に行うことができる。
【発明の効果】
【００１５】
本発明の高周波調理器によれば、水タンク内の水が加熱される、設置性が悪い、取り扱いがし難い、電子機器を損傷しかねない、という問題を解消でき、これにより、設置性、取り扱い性および品質の向上を図ることができるという効果が得られる。
【発明を実施するための最良の形態】
【００１６】
以下、本発明の高周波調理器に係る複数の好適な実施の形態例を図面に基づいて詳細に説明する。
【００１７】
（第１実施形態）
図１は本発明に係る第１実施形態の高周波調理器を説明する分解斜視図、図２は図１に示す水タンクの断面図である。
【００１８】
図１に示すように、本発明の第１実施形態である高周波調理器１０は、高周波調理器本体１１と、トレイ１２と、水タンク１３と、から構成されており、トレイ１２と水タンク１３とが高周波調理器本体１１の前面に着脱自在に組付けられている。
【００１９】
高周波調理本体１１は、底部の底板１４の上方部に、循環ファン１５を中心として、マグネトロン、制御板、インバータ、モータ、等からなる電子機器（図９参照）１６が取り付けられている。
【００２０】
底板１４は、高周波調理器本体１１の下方を閉塞するものであり、周囲に４個のねじ孔１７が形成されている。ねじ孔１７には、ねじ（不図示）が挿通され、それらねじが高周波調理器本体１１の下面にねじ込まれることにより、高周波調理器本体１１の底部に収納されている電子機器１６の下方を閉塞して高周波調理器本体１１に組み付けられる。
【００２１】
底板１４の前面には、トレイ収納部１８と、水タンク収納部１９とが形成されている。トレイ収納部１８は、トレイ１２を収納するものであって、高周波調理器本体１１の下方側において、Ｌ字形状の凹状に形成されている。水タンク収納部１９は、水タンク１３を収納するものであって、トレイ収納部１８の中央部に、高周波調理器本体１１の後面に向けて深さを有する四角形の孔形状に形成されている。そして、水タンク収納部１９の後板２０には、中央部にジョイント挿通孔２１が形成されており、ジョイント挿通孔２１の両側に複数の空気孔２２が形成されている。ジョイント挿通孔２１および空気孔２２は、高周波調理器本体１１の前面から底板１４の上面である高周波調理本体１１の底部の凹部（図９参照）内に連通されている。
【００２２】
トレイ１２は、例えば透明または半透明の樹脂を素材として成形されており、高周波調理器本体１１の横幅と同等の幅寸法を有するとともに、予め定められた深さ寸法を有し、上方が開放されている。トレイ１２は、高周波調理器本体１１の前面からトレイ収納部１８に収められることにより、開放された上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。
【００２３】
水タンク１３は、タンク本体２４と、蓋２５と、からなる。タンク本体２４は、トレイ１２と同様にして、例えば透明または半透明の樹脂を素材として成形されており、トレイ１２の後板２６に一体的に結合されていて、上方が開放されている。タンク本体２４は、水を貯蔵してから高周波調理器本体１１の前面から水タンク収納部１９に収められることにより、高周波調理器本体１１の下方に配置される。これにより、タンク本体２４は、加熱室等に隣接されず、加熱室が高温になったとしても、その熱は上方に移動するために、内部に貯蔵された水が加熱されることがない。また、タンク本体２４は、高周波調理器本体１１の底部に収納された電子機器１６に対して上方に配置されないために、電子機器１６を損傷することがない。蓋２５は、タンク本体２４の上方に被着されることによって開放部分を覆う。タンク本体２４は、トレイ１２に一体成形されても良いし、別体に作成されてから接着剤等によって接合されても良い。
【００２４】
そして、タンク本体２４の前面には、トレイ１２のほぼ中央部に連通接続された連通管２７が配置されている。また、タンク本体２４の後面には、タンク本体２４の内側に連通された円筒形状のジョイント２９が備えられている。ジョイント２９は、水タンク１３が水タンク収納部１９内に収められる際に、水タンク収納部１９のジョイント挿通孔２１に挿通されることにより、電子機器１６とともに配置されている蒸気発生部（不図示）に連通接続されて、タンク本体２４に貯蔵している水を蒸気発生部へ供給する。タンク本体２４は、水タンク収納部１９内に収納されると、高周波調理器本体１１の前面から後面に向けて設定される電子機器１６の冷却経路の上流側に配置される。そして、循環ファン１５が作動されると、循環ファン１５によって生じた負圧により、水タンク収納部１９の後板２０における複数の空気孔２２を介して水タンク収納部１９内の空気が電子機器１６側に導入される。これにより、高周波調理器本体１１の前方から導入された、冷却媒体である空気が、タンク本体２４を舐めることによりタンク本体２４付近において一旦冷やされてから、電子機器１６側に送給されるので、より冷たくなった空気によって電子機器１６を効率よく冷却することができる。
【００２５】
図２に示すように、連通管２７は、タンク本体２４の内側から、トレイ１２の後板２６を貫通してトレイ１２の前板２８の内壁まで連通されているために、高周波調理器本体１１の前面側に配置された目盛部３０を通して水タンク１３内に貯蔵されている水の量を目視で確認することができる。
【００２６】
このような高周波調理器１０では、水タンク１３のタンク本体２４に水を貯蔵してから、蓋２５を被着し、タンク本体２４を先にして水タンク収納部１９に挿入していく、同時に、トレイ１２をトレイ収納部１８内に挿入していくことにより、トレイ１２の開放された上方部分がドアパネル２３の下側に配置されて高周波調理器本体１１に組付けられる。そして、タンク本体２４内に貯蔵されている水の量は、トレイ１２の前面の目盛部３０を見ることにより確認される。タンク本体２４内の水の量が少なくなっていた場合には、トレイ１２および水タンク１３を引き出して水の補給を行う。
【００２７】
以上、前述した高周波調理器１０によれば、蒸気を生成するための水を貯蔵する水タンク１３およびトレイ１２が高周波調理器本体１１の下方に配置されているために、水タンク１３が加熱室に隣接されず、加熱室が高温になったとしても、その熱は上方に移動するために、内部に貯蔵された水が加熱されない。また、水タンク１３が、高周波調理器本体１１の前面に着脱自在に組み付けられているために、側部を壁に寄せて設置することができる。また、水タンク１３が、高周波調理器本体１１の底部に収納された電子機器１６に対して上方に配置されないために、電子機器１６を損傷することがない。また、水タンク１３およびトレイ１２を高周波調理器本体１１の前面から同時に取り出すことができるので、取り扱い性を良好にできる。また、高周波と蒸気とが供給されて被加熱物が加熱処理された後にドアパネル２３が開けられた際に、ドアパネル２３の内面をつたって流れ出してくる結露水を受けるためのトレイ１２が水タンク１３に一体的に組み付けられているために、水タンクが高周波調理器本体の側部に配置されていてトレイが高周波調理器本体の前面に配置されているものと比較して、水タンク１３およびトレイ１２を一ヶ所に収納することができるので、無駄なスペースがなくなり、コンパクトにすることができる。また、トレイ１２が水タンク１３の前方に配置されているために、水タンク１３への水の補給と、トレイ１２の掃除と、を同時的に行えるので、日常のメンテナンスを簡単に行うことができる。これらにより、設置性、取り扱い性および品質の向上を図ることができる。
【００２８】
また、前述した高周波調理器１０によれば、高周波調理器本体の側部に水タンクが配置されたものと比べて、高周波調理器本体１１の前面における幅の全部を利用して水タンク１３を配置することができるので、水タンク１３の容量を大きくすることができるとともに、高周波調理器１０全体を薄型化することができる。
【００２９】
（第２実施形態）
次に、本発明に係る第２実施形態の高周波調理器について、図３（ａ），（ｂ）を参照して説明する。図３（ａ）は本発明に係る第２実施形態の高周波調理器に用いられる水タンクとトレイとの組付け状態での外観斜視図、図３（ｂ）は図３（ａ）の水タンクの単体外観斜視図である。なお、第１実施形態と同一または同等部分については、説明を省略或いは簡略化する。
【００３０】
図３（ａ）に示すように、第２実施形態の高周波調理器４０に用いられるトレイ４１は、例えば透明または半透明の樹脂を素材として成形されており、高周波調理器本体１１の横幅と同等の幅寸法を有するとともに、予め定められた深さ寸法を有し、上方が開放されている。トレイ４１は、水タンク４２の前面に形成された延出部４３上に載置されることにより水タンク４２に組み付けられる。トレイ４１は、図１を参照して、高周波調理器本体１１の前面からトレイ収納部１８に収められることにより、開放された上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。
【００３１】
図３（ｂ）に示すように、第２実施形態の高周波調理器４０に用いられる水タンク４２は、トレイ４１と同様にして、例えば透明または半透明の樹脂を素材として成形されており、高さの高いタンク本体４４の前方に、トレイ４１と同一の幅寸法を有して高さが低く形成された延出部４３を有する。タンク本体４４および延出部４３内に水が貯蔵される。水タンク４２は、図１を参照して、水を貯蔵してから高周波調理器本体１１の前面から水タンク収納部１９に収められることにより、高周波調理器本体１１の下方に配置される。このとき、水タンク４２の延出部４３が、高周波調理器本体１１の前面に配置されているために、延出部４３を通して水タンク４２内に貯蔵されている水の量を目視で確認することができる。水タンク４２は、延出部４３上にトレイ４１が一体成形されても良いし、別体に作成されてから接着等によって接合されても良い。水タンク４２には、例えばタンク本体４４の一部に水補給口（不図示）が設けられる。
【００３２】
以上、前述した第２実施形態の高周波調理器４０によれば、蒸気を生成するための水を貯蔵する水タンク４２およびトレイ４１が高周波調理器本体１１の下方に配置されているために、水タンク４２が加熱室に隣接されず、加熱室が高温になったとしても、その熱は上方に移動するために、内部に貯蔵された水が加熱されない。また、水タンク４２が、高周波調理器本体１１の前面に着脱自在に組み付けられているために、側部を壁に寄せて設置することができる。また、水タンク４２が、高周波調理器本体１１の底部に収納された電子機器１６に対して上方に配置されないために、電子機器１６を損傷することがない。また、水タンク４２およびトレイ４１を高周波調理器本体１１の前面から同時に取り出すことができるので、取り扱い性を良好にできる。また、高周波と蒸気とが供給されて被加熱物が加熱処理された後にドアパネル２３が開けられた際に、ドアパネル２３の内面をつたって流れ出してくる結露水を受けるためのトレイ４１が水タンク４２に一体的に組み付けられているために、水タンクが高周波調理器本体の側部に配置されていてトレイが高周波調理器本体の前面に配置されているものと比較して、水タンク４２およびトレイ４１を一ヶ所に収納することができるので、無駄なスペースがなくなり、コンパクトにすることができる。また、トレイ４１が水タンク４２の前方に配置されているために、水タンク４２への水の補給と、トレイ４１の掃除と、を同時的に行えるので、日常のメンテナンスを簡単に行うことができる。また、トレイ４１と、水タンク４２と、が高周波調理器本体１１の前面側において上下に配置されているために、水タンク４２を取り出すことなく、下側に配置されている水タンク４２の延出部４３を通して水の残量確認を簡単に行うことができる。これらにより、設置性、取り扱い性および品質の向上を図ることができる。
【００３３】
（第３実施形態）
次に、本発明に係る第３実施形態の高周波調理器について、図４（ａ），（ｂ）を参照して説明する。図４（ａ）は本発明に係る第３実施形態の高周波調理器に用いられる水タンクとトレイとの組付け前の外観斜視図、図４（ｂ）は図４（ａ）の水タンクとトレイとの組付け状態での断面図である。第１実施形態と同一または同等部分については、説明を省略或いは簡略化する。
【００３４】
図４（ａ）に示すように、第３実施形態の高周波調理器５０に用いられるトレイ５１は、例えば透明または半透明の樹脂を素材として略Ｔ字形状の板状に形成されており、高周波調理器本体１１の横幅と同等の幅寸法をもって上方が開放されていて予め定められた深さ寸法を有するトレイ本体５２と、このトレイ本体５２に一体成形された蓋部５３とを有する。トレイ５１は、水タンク５４の上面の開放部分に被着されることにより水タンク５４を覆って組み付けられる。トレイ５１は、図１を参照して、高周波調理器本体１１の前面からトレイ収納部１８に収められることにより、開放された上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。
【００３５】
第３実施形態の高周波調理器５０に用いられる水タンク５４は、トレイ５１と同様にして、例えば透明または半透明の樹脂を素材として略Ｔ字形状で上部が開放された箱状に形成されている。
【００３６】
図４（ｂ）に示すように、水タンク５４は、トレイ５１が上部に被着されることにより閉塞される。そして、図１を参照して、水を貯蔵してから高周波調理器本体１１の前面から水タンク収納部１９に収められることにより、高周波調理器本体１１の下方に配置される。このとき、水タンク５４の前面が、高周波調理器本体１１の前面に配置されるために、前面を通して水タンク５４内に貯蔵されている水の量を目視で確認することができる。
【００３７】
以上、前述した第３実施形態の高周波調理器５０によれば、蒸気を生成するための水を貯蔵する水タンク５４およびトレイ５１が高周波調理器本体１１の下方に配置されているために、水タンク５４が加熱室に隣接されず、加熱室が高温になったとしても、その熱は上方に移動するために、内部に貯蔵された水が加熱されない。また、水タンク５４が、高周波調理器本体１１の前面に着脱自在に組み付けられているために、側部を壁に寄せて設置することができる。また、水タンク５４が、高周波調理器本体１１の底部に収納された電子機器１６に対して上方に配置されないために、電子機器１６を損傷することがない。また、水タンク５４およびトレイ５１を高周波調理器本体１１の前面から同時に取り出すことができるので、取り扱い性を良好にできる。また、高周波と蒸気とが供給されて被加熱物が加熱処理された後にドアパネル２３が開けられた際に、ドアパネル２３の内面をつたって流れ出してくる結露水を受けるためのトレイ５１が水タンク５４に一体的に組み付けられているために、水タンクが高周波調理器本体の側部に配置されていてトレイが高周波調理器本体の前面に配置されているものと比較して、水タンク５４およびトレイ５１を一ヶ所に収納することができるので、無駄なスペースがなくなり、コンパクトにすることができる。また、トレイ５１が水タンク５４の前方に配置されているために、水タンク５４への水の補給と、トレイ５１の掃除と、を同時的に行えるので、日常のメンテナンスを簡単に行うことができる。また、トレイ５１と、水タンク５４と、が高周波調理器本体１１の前面側において上下に配置されているために、水タンク５２を取り出すことなく、下側に配置されている水タンク５４の前面側を通して水の残量確認を簡単に行うことができる。これらにより、設置性、取り扱い性および品質の向上を図ることができる。
【００３８】
また、特に、第３実施形態の高周波調理器５０では、水タンク５４およびトレイ５１を取り出して、水タンク５４およびトレイ５１を分解できるために、日常の掃除がし易いので、衛生面で良好である。また、水タンク５４は、水タンク収納部１９に収めた状態において、後方からライト等を照射させることで、水の残量確認を、より簡単に且つ確実に行うことができる。
【００３９】
（第４実施形態）
次に、本発明に係る第４実施形態の高周波調理器について、図５（ａ），（ｂ）を参照して説明する。図５（ａ）は本発明に係る第４実施形態の高周波調理器に用いられる水タンクとトレイとの組付け状態での外観斜視図、図５（ｂ）は図５（ａ）の水タンクとトレイとの組付け状態での断面図である。なお、第１実施形態と同一または同等部分については、説明を省略或いは簡略化する。
【００４０】
図５（ａ）に示すように、第４実施形態の高周波調理器６０に用いられるトレイ６１は、水タンク６２の前面下方に組み付けられている。このトレイ６１は、高周波調理器本体１１の横幅と同等の幅寸法をもって上方が開放されていて予め定められた深さ寸法を有する。
【００４１】
第４実施形態の高周波調理器６０に用いられる水タンク６２は、例えば透明または半透明の樹脂を素材として略Ｔ字形状の中空箱状に形成されており、タンク本体６３の前面に環状部６４を一体に有する。環状部６４は、トレイ６１の外形に相似する環状形に形成されており、内部がタンク本体６３内に連通されている。また、環状部６４の中央部には、上下に貫通した水滴流路６５が形成されている。水タンク６２には、例えばタンク本体６３の一部に水補給口（不図示）が設けられる。
【００４２】
図５（ｂ）に示すように、トレイ６１は、水タンク６２の環状部６４の下側に組付けられる。そして、図１を参照して、高周波調理器本体１１の前面からトレイ収納部１８に収められることにより、環状部６４の水滴流路６５を介して上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。水タンク６２は、図１を参照して、水を貯蔵してから高周波調理器本体１１の前面から水タンク収納部１９に収められることにより、高周波調理器本体１１の下方に配置される。このとき、水タンク６２の環状部６４が、高周波調理器本体１１の前面に配置されるために、環状部６４を通して水タンク６２内に貯蔵されている水の量を目視で確認することができる。
【００４３】
以上、前述した第４実施形態の高周波調理器６０によれば、蒸気を生成するための水を貯蔵する水タンク６２およびトレイ６１が高周波調理器本体１１の下方に配置されているために、水タンク６２が加熱室に隣接されず、加熱室が高温になったとしても、その熱は上方に移動するために、内部に貯蔵された水が加熱されない。また、水タンク６２が、高周波調理器本体１１の前面に着脱自在に組み付けられているために、側部を壁に寄せて設置することができる。また、水タンク６２が、高周波調理器本体１１の底部に収納された電子機器１６に対して上方に配置されないために、電子機器１６を損傷することがない。また、水タンク６２およびトレイ６１を高周波調理器本体１１の前面から同時に取り出すことができるので、取り扱い性を良好にできる。また、高周波と蒸気とが供給されて被加熱物が加熱処理された後にドアパネル２３が開けられた際に、ドアパネル２３の内面をつたって流れ出してくる結露水を受けるためのトレイ６１が水タンク６２に一体的に組み付けられているために、水タンクが高周波調理器本体の側部に配置されていてトレイが高周波調理器本体の前面に配置されているものと比較して、水タンク６２およびトレイ６１を一ヶ所に収納することができるので、無駄なスペースがなくなり、コンパクトにすることができる。また、トレイ６１が水タンク６２の前方に配置されているために、水タンク６２への水の補給と、トレイ６１の掃除と、を同時的に行えるので、日常のメンテナンスを簡単に行うことができる。また、トレイ６１と、水タンク６２と、が高周波調理器本体１１の前面側において上下に配置されているために、水タンク６２を取り出すことなく、上側に配置されている水タンク６２の環状部６４を通して水の残量確認を簡単に行うことができる。これらにより、設置性、取り扱い性および品質の向上を図ることができる。
【００４４】
また、第４実施形態の高周波調理器６０では、特に、トレイ６１のみを取り出して日常の掃除を行うことができるので、衛生面で良好である。
【００４５】
（第５実施形態）
次に、本発明に係る第５実施形態の高周波調理器について、図６（ａ），（ｂ）を参照して説明する。図６（ａ）は本発明に係る第５実施形態の高周波調理器に用いられる水タンクとトレイとの組付け状態での外観斜視図、図６（ｂ）は図６（ａ）の水タンクの単体外観斜視図である。なお、第１実施形態と同一または同等部分については、説明を省略或いは簡略化する。
【００４６】
図６（ａ）に示すように、第５実施形態の高周波調理器７０に用いられるトレイ７１は、例えば透明または半透明の樹脂を素材として成形されており、高周波調理器本体１１の横幅と同等の幅寸法を有し、左側の半分に深さが浅い第１トレイ部７２が形成され、右側の半分に深さが深い第２トレイ部７３が一体に成形されて、上方が開放されている。トレイ７１は、水タンク７４の前面に形成された延出部７５上に組み付けられる。トレイ７１は、図１を参照して、高周波調理器本体１１の前面からトレイ収納部１８に収められることにより、開放された上方部分がドアパネル２３の下側に配置される。それにより、高周波と蒸気とが供給されて被加熱物が加熱処理された後にドアパネル２３が開けられた際に、ドアパネル２３の内面をつたって流れ出してくる結露水を受け入れる。
【００４７】
図６（ｂ）に示すように、第５実施形態の高周波調理器７０に用いられる水タンク７４は、トレイ４１と同様にして、例えば透明または半透明の樹脂を素材として成形されており、タンク本体７６の前方に、トレイ７１の第１トレイ部７２の下側に載置される延出部７５が突出形成されている。水タンク７４は、タンク本体７６および延出部７５内に水が貯蔵される。水タンク７４は、図１を参照して、水を貯蔵してから高周波調理器本体１１の前面から水タンク収納部１９に収められることにより、高周波調理器本体１１の下方に配置される。このとき、水タンク７４の延出部７５が、高周波調理器本体１１の前面に配置されているために、延出部７５を通して水タンク７４内に貯蔵されている水の量を目視で確認することができる。水タンク７４は、延出部７５上にトレイ７１が一体成形されても良いし、別体に作成されてから接着剤等によって接合されても良い。水タンク７４には、例えばタンク本体７６の一部に水補給口（不図示）が設けられる。
【００４８】
以上、前述した第５実施形態の高周波調理器７０によれば、蒸気を生成するための水を貯蔵する水タンク７４およびトレイ７１が高周波調理器本体１１の下方に配置されているために、水タンク７４が加熱室に隣接されず、加熱室が高温になったとしても、その熱は上方に移動するために、内部に貯蔵された水が加熱されない。また、水タンク７４が、高周波調理器本体１１の前面に着脱自在に組み付けられているために、側部を壁に寄せて設置することができる。また、水タンク７４が、高周波調理器本体１１の底部に収納された電子機器１６に対して上方に配置されないために、電子機器１６を損傷することがない。また、水タンク７４およびトレイ７１を高周波調理器本体１１の前面から同時に取り出すことができるので、取り扱い性を良好にできる。また、高周波と蒸気とが供給されて被加熱物が加熱処理された後にドアパネル２３が開けられた際に、ドアパネル２３の内面をつたって流れ出してくる結露水を受けるためのトレイ７１が水タンク７４に一体的に組み付けられているために、水タンクが高周波調理器本体の側部に配置されていてトレイが高周波調理器本体の前面に配置されているものと比較して、水タンク７４およびトレイ７１を一ヶ所に収納することができるので、無駄なスペースがなくなり、コンパクトにすることができる。また、トレイ７１が水タンク７４の前方に配置されているために、水タンク７４への水の補給と、トレイ７１の掃除と、を同時的に行えるので、日常のメンテナンスを簡単に行うことができる。また、トレイ７１と、水タンク７４と、が高周波調理器本体１１の前面側において左右に配置されているために、水タンク７４を取り出すことなく、トレイ７１が配置されていない左側の水タンク７４の延出部７５を通して水の残量確認を簡単に行うことができる。これらにより、設置性、取り扱い性および品質の向上を図ることができる。
【００４９】
なお、トレイ７１の第１，第２トレイ部７２，７３は、左右勝手を適宜変更可能である。もちろん、その場合に、水タンク７４の延出部７５も左右に位置を変更される。
【００５０】
（第６実施形態）
次に、本発明に係る第６実施形態の高周波調理器について、図７を参照して説明する。図７は本発明に係る第６実施形態の高周波調理器に用いられる水タンクとトレイとの組付け前の外観斜視図である。なお、第１実施形態と同一または同等部分については、説明を省略或いは簡略化する。
【００５１】
図７に示すように、第６実施形態の高周波調理器８０に用いられるトレイ８１は、例えば透明または半透明の樹脂を素材として成形されており、高周波調理器本体１１の横幅の左半分の幅寸法を有し、予め定められた深さを有して上方が開放されている。トレイ８１は、水タンク８２の前面に形成された延出部８３の右側に組み付けられる。
【００５２】
第６実施形態の高周波調理器８０に用いられる水タンク８２は、トレイ８１と同様にして、例えば透明または半透明の樹脂を素材として成形されており、タンク本体８４の前方に、高周波調理器本体１１の横幅の左半分の幅寸法を有する延出部８３が突出形成されている。水タンク８２は、タンク本体８４および延出部８３内に水が貯蔵される。そして、水タンク８２の延出部８３上に、補助トレイ部８５が形成されている。この補助トレイ部８５は、高周波調理器本体１１の横幅の左半分の幅寸法を有しており、左方側端部に対して下方に傾斜した右方側端部が、トレイ８１の左側の端部の上方に被さって配置される。水タンク８２には、例えばタンク本体８４の一部に水補給口（不図示）が設けられる。
【００５３】
このような高周波調理器８０において、水タンク８２は、図１を参照して、水を貯蔵してから高周波調理器本体１１の前面から水タンク収納部１９に収められることにより、高周波調理器本体１１の下方に配置される。このとき、水タンク８２の延出部８３が、高周波調理器本体１１の前面に配置されているために、延出部８３を通して水タンク８２内に貯蔵されている水の量を目視で確認することができる。また、トレイ８１は、図１を参照して、高周波調理器本体１１の前面からトレイ収納部１８に収められることにより、開放された上方部分がドアパネル２３の下側に配置される。また、水タンク８２の補助トレイ部８５がドアパネル２３の下側に配置される。それにより、トレイ８１と補助トレイ部８５とにより、高周波と蒸気とが供給されて被加熱物が加熱処理された後にドアパネル２３が開けられた際に、ドアパネル２３の内面をつたって流れ出してくる結露水を受け入れる。このとき、補助トレイ部８５上に落下した結露水は、傾斜によって、右方側端部からトレイ８１内に落下する。
【００５４】
以上、前述した第６実施形態の高周波調理器８０によれば、蒸気を生成するための水を貯蔵する水タンク８２およびトレイ８１が高周波調理器本体１１の下方に配置されているために、水タンク８２が加熱室に隣接されず、加熱室が高温になったとしても、その熱は上方に移動するために、内部に貯蔵された水が加熱されない。また、水タンク８２が、高周波調理器本体１１の前面に着脱自在に組み付けられているために、側部を壁に寄せて設置することができる。また、水タンク８２が、高周波調理器本体１１の底部に収納された電子機器１６に対して上方に配置されないために、電子機器１６を損傷することがない。また、水タンク８２およびトレイ８１を高周波調理器本体１１の前面から同時に取り出すことができるので、取り扱い性を良好にできる。また、高周波と蒸気とが供給されて被加熱物が加熱処理された後にドアパネル２３が開けられた際に、ドアパネル２３の内面をつたって流れ出してくる結露水を受けるためのトレイ８１が水タンク８２に一体的に組み付けられているために、水タンクが高周波調理器本体の側部に配置されていてトレイが高周波調理器本体の前面に配置されているものと比較して、水タンク８２およびトレイ８１を一ヶ所に収納することができるので、無駄なスペースがなくなり、コンパクトにすることができる。また、トレイ８１が水タンク８２の前方に配置されているために、水タンク８２への水の補給と、トレイ８１の掃除と、を同時的に行えるので、日常のメンテナンスを簡単に行うことができる。また、トレイ８１と、水タンク８２と、が高周波調理器本体１１の前面側において左右に配置されているために、水タンク８２を取り出すことなく、トレイ８１が配置されていない左側の水タンク８２の延出部８３を通して水の残量確認を簡単に行うことができる。これらにより、設置性、取り扱い性および品質の向上を図ることができる。
【００５５】
なお、補助トレイ部８５は、左右勝手を適宜変更可能である。もちろん、その場合に、水タンク８２の延出部８３も左右に位置を変更され、トレイ８１も同様に左右に位置を変更される。
【００５６】
次に、本発明に係る高周波調理器の変形例について、図８を参照して説明する。図８は本発明に係る高周波調理器の変形例の高周波調理器本体と水タンクとの組付け前の断面図である。なお、第１実施形態と同一または同等部分については、説明を省略或いは簡略化する。
【００５７】
図８に示すように、本変形例の高周波調理器９０は、電子機器１６に含まれるポンプ９１と水タンク９２とが一体的なモジュールとして形成されている。ポンプ９１および水タンク９２は、ケース９３内に収納される。
【００５８】
このような高周波調理器９０では、高周波調理器本体１１の下方を閉塞する底板１４の前面に凹状の組付け部９４が形成されており、この組付け部９４に、ポンプ９１およぶ水タンク９２を収納したケース９３が組み付けられる。これにより、一般的に、熱に弱いポンプ９１が、加熱室から離れて配置されるとともに、底板１４の下側に配置されることによって、ポンプ９１に熱に与えないようにできるので、ポンプ９１の性能を保証することができる。
【００５９】
なお、前述した第２実施形態〜第６実施形態において、タンクおよびトレイは、構造的に別体であっても、高周波調理器本体の下方に取り付ける時には一体化に取り付けられ、かつ、取り出す時にも一体的に取り出される。
しかしながら、調理中にタンクに給水する場合には、トレイを高周波調理器本体の下方に取り付けた状態のまま、タンクのみを取り出せる構造であれば取り扱いが良好となる。
その一方、トレイに貯溜した水を排水する場合には、トレイとともにタンクも一体的に取り出せる構造であれば、トレイを洗浄する際に、同時にタンクも洗浄できるため取り扱いが良好となる。
すなわち、本発明は、高周波調理器本体の下方に取り付けた後、タンクのみを取り出し可能であることが好ましい。
具体的には、トレイがタンクの上部に積層されていることが望ましい。
【００６０】
なお、本発明は、前述した各実施形態に限定されるものではなく、適宜、変形、改良等が可能である。
例えば、トレイの幅寸法および深さ寸法、水タンクの幅寸法および深さ寸法、等は、適用される高周波調理器のデザインを考慮して適宜選択設定されるのが好ましい。
【図面の簡単な説明】
【００６１】
【図１】本発明に係る第１実施形態の高周波調理器を説明する分解斜視図である。
【図２】図１に示した水タンクの断面図である。
【図３】（ａ）は本発明に係る第２実施形態の高周波調理器に用いられる水タンクとトレイとの組付け状態での外観斜視図、（ｂ）は（ａ）の水タンクの単体外観斜視図である。
【図４】（ａ）は本発明に係る第３実施形態の高周波調理器に用いられる水タンクとトレイとの組付け前の外観斜視図、（ｂ）は（ａ）の水タンクとトレイとの組付け状態での断面図である。
【図５】（ａ）は本発明に係る第４実施形態の高周波調理器に用いられる水タンクとトレイとの組付け状態での外観斜視図、（ｂ）は（ａ）の水タンクとトレイとの組付け状態での断面図である。
【図６】（ａ）は本発明に係る第５実施形態の高周波調理器に用いられる水タンクとトレイとの組付け状態での外観斜視図、（ｂ）は（ａ）の水タンクの単体外観斜視図である。
【図７】本発明に係る第６実施形態の高周波調理器に用いられる水タンクとトレイとの組付け前の外観斜視図である。
【図８】本発明に係る高周波調理器の変形例の高周波調理器本体と水タンクとの組付け前の断面図である。
【図９】従来の高周波調理器の分解斜視図である。
【符号の説明】
【００６２】
１０，４０，５０，６０，７０，８０，９０  高周波調理器
１１                                      高周波調理器本体
１２，４１，５１，６１，７１，８１        トレイ
１３，４２，５４，６２，７４，８２，９２  水タンク
【図１】
2006017398.tif 000003
【図２】
2006017398.tif 000004
【図３】
2006017398.tif 000005
【図４】
2006017398.tif 000006
【図５】
2006017398.tif 000007
【図６】
2006017398.tif 000008
【図７】
2006017398.tif 000009
【図８】
2006017398.tif 000010
【図９】
2006017398.tif 000011